(57)【要約】【課題】横架材に対する取付け・取外し作業を簡便に行うことができ、しかも、横架材から不用意に外れることのない足場用の幅木を提供する。【解決手段】幅木本体１０と、足場の横架材に係止される係止具２０，３０とを備えた足場用の幅木１００であって、幅木本体１０の両端の夫々に設けられた係止具２０，３０の少なくとも一方は、幅木本体１０に取付けられたブラケット３１と、ブラケット３１に回動自在に支持され、横架材を係止する係止位置と横架材を開放する開放位置との間で回動する回動係止部材３３と、ブラケット３１に昇降自在に支持され、下降することで、係止位置の回動係止部材３３が開放位置に回動することを規制し、上昇することで、前記規制を解除するロック部材３１とを有する可動係止具３０として構成されている。【選択図】図１
2011042946.tif 000002
【特許請求の範囲】
【請求項１】
足場の踏板の側縁部に沿って立設される幅木本体と、
該幅木本体の両端の夫々に設けられ、足場の横架材に係止される係止具と
を備えた足場用の幅木であって、
前記幅木本体の両端の夫々に設けられた前記係止具の少なくとも一方は、
前記幅木本体に取付けられたブラケットと、
該ブラケットに回動自在に支持され、前記横架材を係止する係止位置と前記横架材を開放する開放位置との間で回動する回動係止部材と、
前記ブラケットに昇降自在に支持され、下降することで、係止位置の前記回動係止部材が開放位置に回動することを規制し、上昇することで、前記規制を解除するロック部材と
を有する可動係止具として構成されている
ことを特徴とする足場用の幅木。
【請求項２】
前記幅木本体の両端の前記係止具の一方は、前記可動係止具であり、他方は、前記幅木本体に固定的に設けられた固定係止具であり、
前記可動係止具の前記ブラケットは、断面コ字状に形成されており、
前記固定係止具は、断面コ字状の前記ブラケット内に収容可能に形成されている
ことを特徴とする請求項１に記載の足場用の幅木。
【請求項３】
前記可動係止具の前記ブラケットは、前記横架材の上面側に載置されるものであり、
前記可動係止具の前記回動係止部材は、前記横架材の下面側を係止するものである
ことを特徴とする請求項１または請求項２に記載の足場用の幅木。
【発明の詳細な説明】
【技術分野】
【０００１】
本発明は、足場用の幅木に関するものであり、詳しくは、足場の踏板の側縁部に沿って立設される幅木に関するものである。
【背景技術】
【０００２】
マンションやオフィスビル等の建築物、橋脚等の構造物等、各種の建造物を建造するに際しては、建造物の周囲に足場を仮設することが一般的になされている。そして、足場としては、所定間隔で多数の支柱を立て、足場の奥行き方向の骨組みを構成する横架材を２本の支柱間に架渡したり１本の支柱に片持ち状に突設して、この横架材に踏板（足場板とも称される）のフックを引掛けて踏板を支持するようにしたものが周知である。
【０００３】
ところで、足場では、建造物の部品や作業用の工具等を踏板から誤って落下させないように、踏板の側縁部に沿って幅木を立設する場合がある。ここで、従前より、踏板や支柱にボルト等によってネジ止めする幅木があるが、このような幅木では、足場への取付け・取外し作業が面倒である。また、踏板に折畳み式で一体化された幅木もあるが、折畳み式の幅木を有する踏板は、幅木を有する分だけかさばるため、運搬や保管が面倒である。
【０００４】
これに対し、特許文献１（特開２００６−１６９９０２号公報）に示すように、踏板とは別途の幅木であり、両端のロック片を足場の横架材に係止させることで、ネジ止めに比して簡便な作業で取付けを行うことができるようにした幅木が案出されている。
【０００５】
また、特許文献２（特開２００４−３６０２６８号公報）に示すように、踏板とは別途の幅木であり、両端のキャッチガイドを足場の横架材に係止させることで、ネジ止めに比して簡便な作業で取付けを行うことができるようにした幅木が案出されている。
【発明の概要】
【発明が解決しようとする課題】
【０００６】
しかしながら、特許文献１に記載のものは、横架材を係止する係止位置と横架材を開放する開放位置との間で回動するロック片によって横架材に取付けられるものであり、横架材に対する取付け・取外しの作業に際して、開放位置にロック片を保持しつつ作業を行わなければならないものである。よって、その取付け・取外しの作業が煩わしいものであった。特に、ロック片の周りにおいては、支柱や踏板等の様々な部材が入組んで複雑に配置されており、手や指を差し入れるスペースが狭く、開放位置にロック片を保持しつつ幅木の取付け・取外しを行うには困難を極める場合があった。
【０００７】
一方、特許文献２に記載のものは、横架材を係止する係止位置と横架材を開放する開放位置との間で回動するキャッチガイドによって横架材に取付けられるものであるが、キャッチガイドが係止位置から開放位置に回動しないよう規制するロック部材を備えたものである。そして、この特許文献２に記載のものでは、ロック部材を、キャッチガイドの回動規制を解除した状態とすれば、横架材に対する幅木の取付け・取外し方向への移動に倣ってキャッチガイドを自由に回動させることができ、横架材に対する幅木の取付け・取外し作業を簡便に行うことができる。
【０００８】
しかしながら、特許文献２に記載のものは、ロック部材が、先端側が下がるとキャッチガイドの回動を規制し、先端側が上がるとキャッチガイドの回動規制を解除するものとして中間部分が回動自在に軸支されたシーソー状のものであり、先端部分を上下動させるために後端側に棒状金具挿入部を備えたものである。よって、特許文献２に記載のものでは、作業者が踏板上で作業したり歩行する際において、棒状金具挿入部が設けられたロック部材の後端側に工具等をぶつけたり、ロック部材の後端側を踏んだりすると、ロック部材によるキャッチガイドの回動規制状態が解除されて、横架材から幅木が不用意に外れてしまう虞があるものであった。
【０００９】
本発明は、上記実情を鑑みてなされたものであり、横架材に対する取付け・取外し作業を簡便に行うことができ、しかも、横架材から不用意に外れることのない足場用の幅木の提供を課題とする。
【課題を解決するための手段】
【００１０】
上記課題を解決するために本発明の採った主要な手段は、
「足場の踏板の側縁部に沿って立設される幅木本体と、
該幅木本体の両端の夫々に設けられ、足場の横架材に係止される係止具と
を備えた足場用の幅木であって、
前記幅木本体の両端の夫々に設けられた前記係止具の少なくとも一方は、
前記幅木本体に取付けられたブラケットと、
該ブラケットに回動自在に支持され、前記横架材を係止する係止位置と前記横架材を開放する開放位置との間で回動する回動係止部材と、
前記ブラケットに昇降自在に支持され、下降することで、係止位置の前記回動係止部材が開放位置に回動することを規制し、上昇することで、前記規制を解除するロック部材と
を有する可動係止具として構成されている
ことを特徴とする足場用の幅木」
である。
【００１１】
上記構成の幅木は、可動係止具を含む両端の各係止具を横架材に係止させることで足場に取付けられる幅木であり、可動係止具は、回動して横架材を係止する回動係止部材と、回動係止部材が横架材を係止する係止位置から横架材を解除する解除位置に回動することを規制するロック部材とを有するものである。よって、上記構成の幅木では、ロック部材を、回動係止部材の回動規制を解除した状態とすれば、横架材に対する幅木の取付け・取外し方向への移動に倣って回動係止部材を自由に回動させることができ、横架材に対する幅木の取付け・取外し作業を簡便に行うことができる。
【００１２】
ところで、上記構成の幅木では、ブラケットにロック部材が昇降自在に支持されており、ロック部材は、下降することで回動係止部材の回動を規制し、上昇することで回動係止部材の回動規制を解除するものとなっている。よって、作業者が踏板上で作業したり歩行する際において、ロック部材に工具等をぶつけたり、ロック部材を踏んだりしても、ロック部材による回動係止部材の回動規制が解除されることがなく、横架材から幅木が不用意に外れてしまうことがない。
【００１３】
上述した手段において、
「前記幅木本体の両端の前記係止具の一方は、前記可動係止具であり、他方は、前記幅木本体に固定的に設けられた固定係止具であり、
前記可動係止具の前記ブラケットは、断面コ字状に形成されており、
前記固定係止具は、断面コ字状の前記ブラケット内に収容可能に形成されている
ことを特徴とする足場用の幅木」
とするのが好適である。
【００１４】
上記構成の幅木では、一端側の係止具が固定係止具となっており、他端側の係止具が可動係止具になっている。そして、固定係止具は、可動係止具の断面コ字状のブラケットに収容可能となっている。よって、上記構成の幅木では、複数の幅木を連設する際に、可動係止具のブラケットに隣の幅木の固定係止具を収容するように連設すれば、隣り合う幅木の係止具をすっきりと収めることができる。
【００１５】
また、隣り合う幅木において、一方の幅木の可動係止具を基準として他方の幅木の固定係止具を横架材に係止させたり、一方の幅木の固定係止具を基準として他方の幅木の可動係止具を横架材に係止させたりして幅木を順次連設することで、多数の幅木を正確な直線状に配置することができる。
【００１６】
上述した手段において、
「前記可動係止具の前記ブラケットは、前記横架材の上面側に載置されるものであり、
前記可動係止具の前記回動係止部材は、前記横架材の下面側を係止するものである
ことを特徴とする足場用の幅木」
とするのが好適である。
【００１７】
可動係止具の回動係止部材を横架材の上面側に載置される部位を有するものとしてもよいが、この場合には、回動係止部材が横架材に対して動く部材であることから、回動係止部材を開放位置にすると、回動係止部材が横架材から浮いてしまったり、回動係止部材において横架材に接触する部位が変動したりして、横架材に対して幅木が不安定となり、横架材に対する幅木の取付け・取外し作業が煩わしくなる虞がある。
【００１８】
これに対して、上記構成の幅木では、固定的な部材であるブラケットが横架材に載置されることから、回動係止部材が開放位置であっても、幅木は、横架材に載せられた安定した状態であり、横架材に対する幅木の取付け・取外し作業が煩わしくなることがない。
【発明の効果】
【００１９】
上述した通り、本発明によれば、横架材に対する取付け・取外し作業を簡便に行うことができ、しかも、横架材から不用意に外れることのない足場用の幅木を提供することができる。
【図面の簡単な説明】
【００２０】
【図１】本発明に係る幅木の一例を示す図であり、（ａ）は平面図、（ｂ）は正面図である。
【図２】図１に示した幅木の可動係止具部分の拡大正面図である。
【図３】図１に示した幅木を横架材に取付けた状態を示す図であり、踏板の内側方向から見た斜視図である。
【図４】図１に示した幅木を横架材に取付けた状態を示す図であり、踏板の外側方向から見た斜視図である。
【発明を実施するための形態】
【００２１】
本発明に係る足場用の幅木の実施形態としての一例を、以下、図面に従って詳細に説明する。
【００２２】
図１及び図２に、本発明に係る足場用の幅木１００の一例を示す。
【００２３】
この幅木１００は、幅木本体１０と足場の横架材１に係止される係止具２０，３０とを備えており、幅木本体１０は、鋼板によって上部及び下部を折り曲げた高さ１５０ｍｍ程度のパネル状に形成されている。なお、幅木本体１０の長さについては、対応する踏板の長さに応じた適宜の長さが設定されている。
【００２４】
係止具２０，３０は、幅木本体１０両端の夫々の下部に、ステー１１を介して、踏板の幅方向において内側にせり出すように設けられており、本例では、一方の係止具３０が、回動する回動係止部材３３といったような可動する部材を有する可動係止具３０となっており、他方の係止具２０が、可動する部材を有さない固定係止具２０となっている。そして、固定係止具２０は、側方に突出して横架材１の上面側に載置される側方突出部２０ａ、及び、下方に突出して横架材１の下面側を係止する下方突出部２０ｂを有するプレート状に形成されている。
【００２５】
可動係止具３０は、ブラケット３１と、回動係止部材３３と、ロック部材３５とを備えてなるものであり、ブラケット３１は、側方に突出して横架材１の上面側に載置される側方突出部３１ａ、及び、下方に突出する下方突出部３１ｂを有する一対のプレートが互いに対向するように、断面コ字状に形成されている。そして、ブラケット３１の下方突出部３１ｂには、回動係止部材３３及びロック部材３５が組み付けられている。また、断面コ字状のブラケット３１が開かないように、ブラケット３１の上部にはピン３２が溶着されている。
【００２６】
回動係止部材３３は、スプリングピン３４を介してブラケット３１に回動自在に支持されており（図２の矢印Ａ参照）、横架材１の下面側を係止する係止位置と横架材１を開放する開放位置との間で回動する。
【００２７】
また、ロック部材３５は、ブラケット３１に設けられた長孔３７に沿って摺動するスプリングピン３６を介してブラケット３１に昇降自在に支持されている（図２の矢印Ｂ参照）。このロック部材３５が下降した状態では、ロック部材３５が回動係止部材３３に当接して、回動係止部材３３が係止位置から開放位置に回動することが規制される。一方、ロック部材３５が上昇した状態では、回動係止部材３３の回動規制が解除されて、回動係止部材３３は、係止位置と開放位置との間で自由に回動することができる状態となる。
【００２８】
次に、この幅木１００を足場の横架材１に取付ける状態を説明する。
【００２９】
まず、幅木１００の一端側の固定係止具２０を横架材１に、水平に対して斜め方向から当接させ、その後、幅木１００の他端側を下げて、可動係止具３０をその下の横架材１に載せるようにする。この時、ロック部材３５を上昇させて、回動係止部材３３が自由に回動する状態となるようにしておく。
【００３０】
このように回動係止部材３３が自由に回動する状態であれば、可動係止具３０を横架材１に載せる際に、まず、回動係止部材３３の下端が横架材１の上面に当接し、幅木１００の他端側を下げるに従って、横架材１の周面に倣って回動係止部材３３が開放位置となるように回動する。よって、回動係止部材３３が邪魔になることはなく、幅木１００の他端側を下げることで横架材１の上面側に可動係止具３０のブラケット３１を載せることができる。
【００３１】
可動係止具３０のブラケット３１を横架材１に載せた後には、ロック部材３５を下降させることで、回動係止部材３３を係止位置に回動させると共に、不用意に開放位置に回動しないように回動規制部材３３をロックすることができる。
【００３２】
そして、この状態では、一端側の固定係止具２０において、側方突出部２０ａが横架材１の上面側に載置されると共に下方突出部２０ｂによって横架材１の下面側が係止され、他端側の可動係止具３０において、ブラケット３１の側方突出部３１ａが横架材１の上面側に載置されると共に回動係止部材３３によって横架材１の下面側が係止される。よって、幅木１００を引き上げても、横架材１から外れることがなく、２つの横架材１間に幅木１００を堅固に取付けることができる。
【００３３】
特に、本例では、固定係止具２０の側方突出部２０ａ、及び、可動係止具３０のブラケット３１の側方突出部３１ａの夫々を、円筒状の横架材１の頂部（最上部）に載せることができるように十分な長さで突出させている。よって、横架材１の上に幅木１００を安定して載置することができる。
【００３４】
一方、足場から幅木１００を取外す場合には、ロック部材３５を上昇させた状態で幅木１００の可動係止具３０側を引上げれば、幅木１００を引上げるに従って回動係止部材３３が横架材１の周面に倣って開放位置へと回動し、横架材１から可動係止具３０を円滑に取外すことができる。そして、横架材１から可動係止具３０を取外した後には、幅木１００は水平に対して斜めの姿勢となっており、その斜めの姿勢のまま固定係止具２０を横架材１から引抜けば、足場から幅木１００を円滑に取外すことができる。
【００３５】
ところで、本例の幅木１００においては、幅木本体１０に、踏板に当接するストッパ１２が設けられており、踏板の側縁部に立設した状態では、図３及び図４に示すように、踏板にストッパ１２が当接することで、踏板の幅方向において幅木１００が内側へと移動することが規制される。なお、図示では、フック３が設けられた踏板の端部フレーム２の側端にストッパ１２を当接させる例を示すが、これに限らず、踏板の板材等、踏板の他の部位にストッパ１２を当接させて幅木１００の内側への移動を規制するようにしてもよい。
【００３６】
また、本例の幅木１００では、図３及び図４に示すように、固定係止具２０及び可動係止具３０の夫々が、踏板のフック３よりも内側に配置されるようにしてある。よって、幅木１００の外側への移動については、固定係止具２０や可動係止具３０が踏板のフック３に当接することで規制される。
【００３７】
ところで、足場に複数の幅木１００を連設する場合には、図３及び図４に示すように、可動係止具３０の断面コ字状のブラケット３１に隣の幅木１００の固定係止具２０が収容されるように順次、連設すれば、固定係止具２０及び可動係止具３０をすっきりと収めることができる。また、これにより、複数の幅木１００を正確な直線状に配置することができる。
【００３８】
また、本例の幅木１００においては、図３及び図４に示すように、可動係止具３０が幅木本体１０の内側に大きくせり出している。しかも、ロック部材３５は、上部に摘み部３５ａを有するＴ字状に形成されており、摘み部３５ａがブラケット３１の上部から突出するようにブラケット３１に組み付けられている。よって、掴み部３５ａを手やペンチで掴んでロック部材３５を操作するに際して、操作し易いものとなっている。
【００３９】
さらに、本例の幅木１００では、固定係止具２０、可動係止具３０やストッパ１２等、種々の部材が幅木本体１０の厚み方向に突設されているのであるが、他の幅木１００と重ね合わせた場合には、幅木本体１０の厚み方向に突出する部材同士が互いに干渉しないように部材の形状や突出度合いが設定されている。よって、複数の幅木１００を重ね合わせて運搬する場合や複数の幅木１００を積重ねて保管する場合において、パネル状の幅木本体１０を安定して重ねることができる。
【符号の説明】
【００４０】
１  横架材
２  踏板の端部フレーム
３  踏板のフック
１０  幅木本体
１１  ステー
１２  ストッパ
２０  固定係止具（係止具）
２０ａ  側方突出部
２０ｂ  下方突出部
３０  可動係止具（係止具）
３１  ブラケット
３１ａ  側方突出部
３１ｂ  下方突出部
３２  ピン
３３  回動係止部材
３４  スプリングピン
３５  ロック部材
３５ａ  掴み部
３６  スプリングピン
３７  長孔
１００  幅木
【先行技術文献】
【特許文献】
【００４１】
【特許文献１】特開２００６−１６９９０２号公報
【特許文献２】特開２００４−３６０２６８号公報
【図１】
2011042946.tif 000003
【図２】
2011042946.tif 000004
【図３】
2011042946.tif 000005
【図４】
2011042946.tif 000006